(57)【特許請求の範囲】
【請求項１】
歯を有する回転可能なジョーと、くさび部材を有する緊張手段とを備え、このくさび部材が互いに平行なリブを備え、このリブがくさび部材の挿入軸線に対して斜めに延び、くさび部材が挿入軸線に対して横向きの湾曲した面を有し、ジョーの延びる向きに直交する方向からくさび部材を継手に挿入するときにリブが歯に係合してジョーを回転させ、そしてくさび部材が挿入した後に閉鎖された状態に保持されるように、リブが継手開口の回転可能に支承されたジョーにおける歯と協働することを特徴とする足場要素のための継手。
【請求項２】
回転可能なジョーが一体のヨークを備え、このヨークに歯が設けられていることを特徴とする請求項１の継手。
【請求項３】
歯が斜めに延びるリブのように形成されていることを特徴とする請求項１の継手。
【請求項４】
回転可能なジョーが開口を有し、歯が開口の内側エッジに設けられていることを特徴とする請求項１の継手。
【請求項５】
可動のジョーが中実材料からなり、ジョーの側部に肩部が設けられ、ジョーが肩の近くに開口を有し、歯が開口の内側エッジに配置されて開口内に突出していることを特徴とする請求項１の継手。
【請求項６】
リブと歯が可動ジョーの揺動軸線に対して角度をなして延びていることを特徴する請求項１の継手。
【請求項７】
軸線回りに揺動可能な可動のジョーと、第一の足場要素上で回転可能に案内されたリングとを備え、このリングがくさび面として形成された第一の端面と、リングが軸線の方へ移動するときに可動のジョーに係合する第二の端面を備えていて、ジョーの延びる向きに直交する方向からくさび部材を継手に挿入することを特徴とする第一の足場要素を第二の足場要素に取付けるための継手。
【請求項８】
回転可能なジョーがその回転軸線に対して半径方向に突出する歯を備え、緊張手段がくさび部材を備え、このくさび部材がその挿入軸線に対して斜めに延びる互いに平行なリブを備え、くさび部材が挿入軸線に対して横方向に延びる湾曲面を有し、ジョーの回転面に対して横方向にくさび部材を継手に挿入するときに、リブが歯に係合してジョーを回転させることを特徴とする足場要素のための継手。
【発明の詳細な説明】
【０００１】
【産業上の利用分野】
本発明は、継手開口を備え、この継手開口を閉鎖するジョーの運動がくさびの形をした緊張手段によって行われる、足場要素を連結するための継手に関する。
【０００２】
【従来の技術】
例えばドイツ連邦共和国特許出願第４２０１９５８．３号に開示されているようなこの種の公知の継手の場合には、緊張手段がボルトからなっている。このボルトの頭は掴むためのリングを備えている。ボルトは第１の足場要素にねじ込まれて案内される。ボルトの頭は継手開口の可動のジョーに隣接している。ジョーにねじ込むときに、継手開口は閉鎖運動を生じ、継手開口の爪は他の第２の足場要素に載り、この第２の足場要素は継手を固定した第１の継手要素にしっかり取付けられる。
【０００３】
この種の公知の継手は横方向に延びる棒を支持部材に連結するために使用される。
リングに挿入された工具によってまたは手でねじを締め付けることは比較的に困難であり、かつ時間がかかる。更に、ねじが汚れないようにすることは不可能であり、従って現場で作業を行うことが困難である。
【０００４】
格子状足場のための結節がドイツ連邦共和国特許第４０２１６０２号によって知られている。この場合、クランプは対向配置された溝を有する柱と協働する二つの爪を備えている。このクランプによって、可動に取付けられた爪をロックすることができる。そのために、クランプ内で並進可能な要素すなわちピンが使用される。
【０００５】
横桁、すなわち連結棒を結節から分解するときに、このくさびをそのクランプ位置から外すことは困難で面倒である。更に、くさびを受け入れる穴に汚れが入り、装置が動かなくなることがある。
【０００６】
コンクリート成形要素を連結するためのターンバックルがドイツ連邦共和国特許第３５４５２７３号によって知られている。この場合、二つのターバックアームが長手方向に溝を有するくさびによって緊張させられる。長手方向の溝はくさび上に回転ねじのように配置され、それによって歯付ラックの歯と協働して歯付ラックに固定された脚と可動の脚を側方へ動かす。これにより、くさびをアームに打ち込んだ後で、コンクリート成形要素を緊張させるのに充分な力が生じる。
【０００７】
【発明が解決しようとする課題】
本発明の根底をなす目的は、くさびによって可動ジョーの回転運動を行う継手を、足場要素に迅速にかつ充分に連結できるよう改良することである。
【０００８】
【課題を解決するための手段】
この目的は本発明に従い、リブが継手開口の可動ジョーの歯と協働し、くさびが係合側で湾曲していることによって達成される。
【０００９】
本発明のこの技術的思想に基づく形をした継手は、ジョーの歯と緊張手段によって、力の伝達が確実に行われ、可動のジョーが特別な角度で回転し、くさびの湾曲と大きな係合面によって単位面積当たりの押圧力が小さくなり、継手の寿命が長くなるという利点を有する。
【００１０】
くさびはその長手軸線回りに湾曲した横断面を有する平らな材料の一つの片からなっている。これは、歯が可動ジョーの湾曲面に配置されているときに、複数のリブが常に歯と係合し、ジョーが確実に回転させられるという利点がある。可動のジョーは歯の近くにおいて揺動軸線回りにほぼ円筒形の区間を有する。
【００１１】
他の利点は、ジョーに設けられた歯が緊張手段に係合することにより、ロックのために必要な力が最小限に抑えられるので、足場要素を迅速にかつ容易に互いに取付け可能であることにある。
【００１２】
足場要素を分解するときに、大きな装着面積、すなわち単位面積当たりの小さな押圧力は、緊張手段、すなわちくさびを比較的に小さな力で弛めることができるという利点がある。
【００１３】
緊張くさびは、その構造により、足場要素に取付けられる可動のジョー内へまたはジョー上を案内されるかまたは取付けられる足場内へ案内される。本発明の実施形では、緊張手段が足場要素に固定されたジョー内へ案内される。
【００１４】
くさび溝と協働する歯は、本発明の実施形では、可動のジョーのヨークに設けられている。この歯はくさびの溝に係合する斜めに延びるリブと同様に形成されている。
【００１５】
歯は可動のジョーの外面から分離可能である。本発明の他の実施形では、歯は可動ジョーの開口の内側エッジに設けられている。これは一定の利点を有する。
本発明の実施形では、可動のジョーは中実構造となっている。このジョーは少なくとも片側に肩を有し、この肩の近くに開口が設けられ、開口の内側エッジに歯が設けられ、この歯が開口内に突出し、緊張手段のリブと協働する。緊張手段のリブと歯はジョーの揺動軸線に対して角度をなして延び、くさび面として機能する。
【００１６】
本発明の目的は更に、足場要素上で回転可能に案内されたリングとして、緊張手段を形成し、リングの一方の端面がくさび面として形成され、他方の端部が可動のジョーと協働し、それによってリングが揺動軸線の方へ移動するときに、ジョーが継手開口を閉鎖および緊張するよう移動する。
【００１７】
この技術思想による継手は、緊張手段が操作人によって加えられた回転運動を側方運動に変換するという利点がある。これにより、てこ作用を有利に用いることができるので、場合によってはてこ作用を生じる工具によって、ロックのために必要なロック力が小さく保たれる。更に、ジョーに作用するロック力を連続的に調節可能であるので、継手が充分にしっかりと、強すぎないように締めつけ、すなわちロックされる。
【００１８】
有利な実施形では、リングの外周に一つ以上の突起を設けることができる。この突起はレバーのような工具の装着点としてあるいは手動ロックの掴み面として作用する。これは、リングを容易に回転させることができるという利点がある。
【００１９】
本発明の他の利点は特許請求の範囲や図面に関連して、本発明の実施例の次の説明から明らかになる。個々の特徴は本発明の実施例で個別的にまたは組み合わせて実施することができる。
【００２０】
【実施例】
本発明の５つの実施例が図に示してある。
図１〜３に示した実施例において、例えば補強フレームに関連して設けられた横パイプ１は、伸縮支持部材、すなわち調節支持部材２に連結されている。この伸縮支持部材は、締め付け連結によって、パイプ１を支持部材の外側パイプ３と内側パイプ４に容易に取りつけるための特別なプロフィルを有している。このプロフィルは内側パイプの突起６の側に互いに反対側に設けられた溝５と、外側パイプの突起８の両側に設けられた対応する溝７を備えている。この溝７には取付け装置の爪（歯）９，１０が係合することができる。
【００２１】
本発明による連結装置の実施例は、Ｕ字状のジャケット（ジョー）１１を備えている。このジャケットのヨーク部１２はパイプ１の端部を取り囲み、リベット１３によってパイプに取付けられている。アーム部１４，１５には穴１６が形成されている。この穴にはボルト１７が取付けられている。内側ジャケット（ジョー）２０のアーム部１８，１９がこのボルトに揺動可能に取付けられている。内側ジャケット２０は同様にＵ字状の横断面を有し、外側ジャケットのアーム部１４，１５の間に揺動可能に装着されている。パイプ１から離れた、外側ジャケット１１の前端と内側ジャケット２０の対応する端部のところで、ヨーク１２またはヨーク２１の延長部にそれぞれ、連結開口の爪９と連結開口の爪１０が設けられている。
【００２２】
爪１０から離れた、内側ジャケット２０のヨーク部２１の後端に、曲げ部材２２が設けられている。この曲げ部材は、本実施例ではくさび２３である緊張手段（付勢手段）と協働する。
【００２３】
くさび２３は外側ジャケット１１の穴２４内を案内されている。この穴はパイプ１の長手中心軸線に対して斜めに延びている。くさび２３の真っ直ぐな側面２５は長穴２４の後縁２６に支持されている。くさび面２７は上述のように、内側ジャケットの曲げ部材２２と協働し、くさび２３を長穴２４に打ち込んだときに、この内側ジャケット２０は枢着ピン１７を中心に時計回りに回転し、連結開口を閉鎖保持する。
【００２４】
くさび２３はその下端に、ピン２８を備えている。このピンはくさびの外面から突出し、くさび２３が外側ジャケットの両アーム部１４，１５に設けた長穴２４から引き抜かれないようにする。くさびはピン２８近くのその狭い端部とくさび面２７との間に、その真っ直ぐな後面２５に対して平行に延びる真っ直ぐな面２９を備えている。くさび２３が長穴２４から外へ充分に引き出され、真っ直ぐな面２９が曲げ部材２２の枢着範囲の外側に位置する場合には、内側ジャケット２０をピン１７回りにほとんど自由に揺動させることができ、爪１０を爪９から離れるように移動させることができ、それによって連結開口が広く開放する。この位置は、特に継手をパイプ１の中心軸線に対して直角に取付けなければならないときに、継手を組み立てるために適している。連結を行うときに、くさび２３を打ち込むことにより、くさび面２７が曲げ部材２２に当たり、内側ジャケット２０はピン１７回りに回転し、継手の開口が閉じ、緊張状態で支持部材上に装着される。
【００２５】
図４〜７に示した本発明の実施例は、くさびの外側エッジ２７，２９ではなくリブが継手の内側ジャケットと協働する点が、図１〜３による実施例と異なっている。リブは緊張部材の外面上を緊張部材の長手軸線に対して斜めに延び、くさびは平行なエッジを有し、くさび形ではなくほぼ長方形である。斜めに延びるこの複数のリブ３１は内側ジャケット３４のヨーク部３３の外面に設けられた歯３２と協働する。
【００２６】
リベットまたはねじ３６によってパイプ１に連結された外側ジャケット３５は、開口３７を備えている。この開口内にはくさび３０が挿入され、くさびのリブ３１が歯３２と協働する。リブ３１はくさび３０の端部に隣接する区間３８には設けられていない。くさび３０が充分に引き出され、区間３８が歯３２の移動路内に位置している場合には、内側ジャケット３４はピン１７の回りに大きな角度で自由に揺動可能であり、従って継手開口は大きく開放している。リブ３１が歯３２とだけ協働するようにするために、くさび３０は図６に示すように湾曲している。これにより、両リブ３９，４０は隣接する歯３２にほとんど完全に係合する。くさびの湾曲はピン１７回りの内側ジャケット３４のヨークの湾曲に一致させることができる。外側ジャケット３５の開口３７は、図４に示すように、同じように湾曲させることができる。継手を緊張させるとき、くさび３０は開口３７のエッジ４１に載る。
【００２７】
図７に示す内側ジャケット３４のアーム部の下側エッジに、外側へ曲げられた突起４２が設けられている。この突起は、継手開口の最大開放時に、外側ジャケット３５の下側エッジ４３に載る。それによって、継手開口のそれ以上の開放を制限し、爪１０が、ピン１７回りのその揺動路程の途中で、外側ジャケット３５のアーム部の間に入らないようにする。従って、爪が汚れているためにアーム部の中で動けなくなることがなく、そのため継手の使用時に図４の時計回りに外側ジャケット３５のアーム部の外へ再び揺動させる必要が無くなる。
【００２８】
図８，９の実施例は、緊張くさびと協働する歯４４が開口４５の内側エッジに設けられている点が、図４〜７の実施例と異なっている。この開口は内側ジャケットに対応する小さな金属片４６に開けられている。この実施例では、枢着ピン１７から離れた開口４５のエッジに歯４４が設けられているので、緊張くさびは図６の実施例のように湾曲している。しかし、歯４４と協働するリブは湾曲したくさびの外側に設けられている。この場合も同様に、くさびは次のような区間を有する。この区間の付近で、くさびのエッジが開口４５の端部４７に載るまで、爪１０を備えた内側片４６が揺動可能である。従って、内側片４６の開口４５は図４の実施例の場合よりも幾分長くなっている。内側片４６は、その二つの側部の各々に、凹部５５を備えている。この凹部内に開口４５が設けられている。
【００２９】
図１０に示した本発明の実施例では、内側のジャケット５２または中実の内側要素４８がリング４９によって緊張させられ、このリングがパイプ１上を回転可能にかつ並進可能に案内されている。継手から離れたリング４９の端側はくさび面５０を備えている。このくさび面は支承部材５１に支持されている。円筒部分のような形をしたリング４９が回転すると、継手開口寄りのその前端面５３は内側ジャケット５２の後端に当たり、リング４９を更に回転させると、内側ジャケットをピン１７中心に時計回りに揺動させる。内側ジャケット５２は図１の実施例の内側ジャケット２０と同様に形成可能であり、かつ適当な角度でリング４９の端面５３と協働する。
【００３０】
図１１に示した実施例では、くさびがパイプ１を貫通する開口５６内を案内され、可動のジョー５７がパイプ１を横方向に貫通するピン５８上に揺動可能に装着されている。可動のジョーは爪から離れたその側部に、湾曲したエッジ５９を備えている。この爪はくさび面５０と協働し、くさびが打ち込まれるときに継手開口９，２０が閉じる。
【００３１】
【発明の効果】
本発明の足場要素用継手は、足場要素に迅速にかつ充分に連結可能であり、ジョーの歯と緊張手段によって、力の確実な伝達が行われ、可動のジョーが特別な角度で回転し、くさびの湾曲と大きな係合面によって単位面積当たりの押圧力が小さくなり、継手の寿命が長くなるという利点を有する。
【図面の簡単な説明】
【図１】可動ジャケットの閉鎖位置を実線で、二つの他の位置を一点鎖線で示している、本発明による継手の第１の実施例を示す図である。
【図２】図１のＩＩ−ＩＩ線に沿った、くさびを省略した断面図である。
【図３】くさびを示す図である。
【図４】本発明の他の実施例を示す図である。
【図５】図４の実施例で使用されるくさびを示す図である。
【図６】図５のＶＩ−ＶＩ線に沿ったくさびの拡大断面図である。
【図７】図４に示した可動ジョーの拡大図である。
【図８】本発明の第３実施例を示す側面図である。
【図９】図８の実施例で使用される可動ジョーを示す図である。
【図１０】本発明の第４実施例の側面図である。
【図１１】他の実施例を示す図である。
【符号の説明】
１，２            足場要素
３                外側パイプ
４                内側パイプ
５，７            溝
９，１０          爪
１１，３５        外側ジャケット（ジョー）
１２，２１，３３        ヨーク部
１４，１５        アーム部（脚）
１７              ボルト
２０，３４，５２        内側ジャケット
２２              曲げ部材
２３，３０        くさび
２４，３７，４５        穴
２７，５０        くさび面
３１              リブ
３２，４４        歯
３８              区間
３９，４０        リブ
４９              リング
【図１】
0003620885.tif 000002
【図２】
0003620885.tif 000003
【図３】
0003620885.tif 000004
【図４】
0003620885.tif 000005
【図５】
0003620885.tif 000006
【図６】
0003620885.tif 000007
【図７】
0003620885.tif 000008
【図８】
0003620885.tif 000009
【図９】
0003620885.tif 000010
【図１０】
0003620885.tif 000011
【図１１】
0003620885.tif 000012